(57)【要約】【課題】排出条件の成立に基づき、所要数の遊技球を排出する排出装置を備えた遊技機において、遊技球の高速な排出に対応した上で、コストの低減を図るとともに、少量の球の排出も確実に行えるようにする。【解決手段】可動部材１７０を回動可能に配設し、第１流路７２及び第２流路７３の何れか一方の流路で球保持部へ流入可能な流入可能状態とすると、他方の流路では球保持部への遊技球の流入を規制するとともに、保持されていた遊技球を排出可能な排出可能状態となるようにする。また、正方向と逆方向に交互に回動することで、第１流路７２と第２流路７３とで交互に排出可能状態に変換して、第１流路７２と第２流路７３とから交互に遊技球を排出するようにし、排出可能状態への変換に伴って保持した遊技球を排出可能状態への変換方向に沿って排出可能とする。【選択図】図９
2008245753.tif 000002
【特許請求の範囲】
【請求項１】
所定の排出条件の成立に基づき、所要数の遊技球を排出する排出装置を備えた遊技機において、
前記排出装置は、
遊技球が待機する並列に形成された第１流路及び第２流路と、
前記第１流路及び前記第２流路の下流側端部に臨む可動部材と、
前記可動部材を駆動する駆動源と、を備え、
前記可動部材は、
遊技球を保持可能な球保持部と、
該球保持部への遊技球の流入を規制する規制部と、を備え、
前記第１流路及び前記第２流路の並列方向に対して平行な回動軸を中心に回動可能に配され、
前記第１流路及び前記第２流路のうち、何れか一方の流路で遊技球が前記球保持部へ流入可能な流入可能状態とすると、他方の流路では前記規制部が前記球保持部への遊技球の流入を規制するとともに前記球保持部に保持されていた遊技球を排出可能な排出可能状態となるように構成され、
前記駆動源により正方向及び逆方向に交互に回動することで、前記第１流路と前記第２流路とで交互に前記排出可能状態に変換して、前記第１流路と前記第２流路とから交互に遊技球を排出するようにし、
前記球保持部は、前記可動部材の上方及び前記排出可能状態への変換方向側に開口する凹状に形成するとともに前記回動軸よりも上方に配設して、前記排出可能状態への変換に伴って保持した遊技球を前記排出可能状態への変換方向に沿って排出可能とし、
前記第１流路からの遊技球を保持可能な第１球保持部と、前記第２流路からの遊技球を保持可能な第２球保持部とが、前記回動軸の延在方向に沿って重なるように配設したことを特徴とする遊技機。
【請求項２】
前記可動部材は、前記流入可能状態で、前記球保持部で保持された遊技球及び該保持された遊技球の上方に待機する遊技球により前記球保持部に加わる圧力が、前記回動軸に作用するようにしたことを特徴とする請求項１に記載の遊技機。
【請求項３】
前記可動部材は、前記排出可能状態で、前記規制部に加わる遊技球の圧力が、前記回動軸に作用するようにしたことを特徴とする請求項１または２に記載の遊技機。
【請求項４】
前記第１球保持部及び前記第２球保持部から排出された排出球を１箇所に集合させて排出装置外へ排出する集合流路を備え、
前記集合流路内の前記排出球が通過しない領域に一部が臨むように前記駆動源を配置したことを特徴とする請求項１から３の何れか一項に記載の遊技機。
【発明の詳細な説明】
【技術分野】
【０００１】
本発明は、排出条件の成立に基づき、所要数の遊技球を排出する排出装置を備えた遊技機に関する。
【背景技術】
【０００２】
ソレノイドのプランジャに接続される可動部材を球排出流路内に侵入させる状態と離脱させる状態とに可動させることで遊技球を排出する球排出装置を備えた遊技機が提案されている（例えば、特許文献１参照）。
【特許文献１】特開平５−２９３２２３号公報
【発明の開示】
【発明が解決しようとする課題】
【０００３】
従来の遊技機の球排出装置では、大当り中などでは大量に遊技球を排出する必要があるため、遊技球の排出速度を早くする必要がある。そのため、特許文献１に記載の球排出装置では、２つの球排出流路から遊技球を排出することで排出速度を担保するようにしている。しかしながら、２つの球排出流路にそれぞれ駆動源と可動部材を配置しているために、コストが増大するという問題点があった。さらに、球排出流路内から可動部材を離脱させ、遊技球を自由落下により排出させるために、少量の球を排出させるのが難しく、制御も複雑になってしまうという問題点もあった。
【０００４】
本発明の目的は、排出条件の成立に基づき、所要数の遊技球を排出する排出装置を備えた遊技機において、遊技球の高速な排出に対応した上で、コストの低減を図るとともに、少量の球の排出も確実に行えるようにすることである。
【課題を解決するための手段】
【０００５】
以上の課題を解決するため、請求項１に記載の発明は、所定の排出条件の成立に基づき、所要数の遊技球を排出する排出装置を備えた遊技機において、
前記排出装置は、
遊技球が待機する並列に形成された第１流路及び第２流路と、
前記第１流路及び前記第２流路の下流側端部に臨む可動部材と、
前記可動部材を駆動する駆動源と、を備え、
前記可動部材は、
遊技球を保持可能な球保持部と、
該球保持部への遊技球の流入を規制する規制部と、を備え、
前記第１流路及び前記第２流路の並列方向に対して平行な回動軸を中心に回動可能に配され、
前記第１流路及び前記第２流路のうち、何れか一方の流路で遊技球が前記球保持部へ流入可能な流入可能状態とすると、他方の流路では前記規制部が前記球保持部への遊技球の流入を規制するとともに前記球保持部に保持されていた遊技球を排出可能な排出可能状態となるように構成され、
前記駆動源により正方向及び逆方向に交互に回動することで、前記第１流路と前記第２流路とで交互に前記排出可能状態に変換して、前記第１流路と前記第２流路とから交互に遊技球を排出するようにし、
前記球保持部は、前記可動部材の上方及び前記排出可能状態への変換方向側に開口する凹状に形成するとともに前記回動軸よりも上方に配設して、前記排出可能状態への変換に伴って保持した遊技球を前記排出可能状態への変換方向に沿って排出可能とし、
前記第１流路からの遊技球を保持可能な第１球保持部と、前記第２流路からの遊技球を保持可能な第２球保持部とが、前記回動軸の延在方向に沿って重なるように配設したことを特徴とする。
【０００６】
ここで、「駆動源」は、ラッチングソレノイドやソレノイド、ロータリーソレノイド、モータなどである。
【０００７】
請求項１に記載の発明によれば、可動部材は、遊技球を保持可能な球保持部と、該球保持部への遊技球の流入を規制する規制部と、を備え、第１流路及び第２流路の並列方向に対して平行な回動軸を中心に回動可能に配され、第１流路及び第２流路のうち、何れか一方の流路で遊技球が球保持部へ流入可能な流入可能状態とすると、他方の流路では規制部が球保持部への遊技球の流入を規制するとともに球保持部に保持されていた遊技球を排出可能な排出可能状態となるように構成され、駆動源により正方向及び逆方向に交互に回動することで、第１流路と第２流路とで交互に排出可能状態に変換して、第１流路と第２流路とから交互に遊技球を排出するようにしたので、構成が簡略になりコストを削減できる。
【０００８】
すなわち、１つの可動部材を１つの駆動源により動作させることで排出の制御を行う簡略な構成であるので、製造のコストを削減できるとともに不具合の発生も防止できる。また、１つの可動部材で２つの流路の流下制御を行うことができ、遊技球の高速な排出にも対応できる。また、一旦球保持部に受け入れた遊技球を排出するようにしているので、排出する遊技球の個数を厳密に制御でき、少量の遊技球の排出でも確実に行うことができる。また、駆動源により正方向及び逆方向に交互に回動することで、第１流路と第２流路とで交互に排出可能状態に変換して、第１流路と第２流路とから交互に遊技球を排出するようにしたので、制御が非常に簡単である。
【０００９】
また、球保持部を、可動部材の上方及び排出可能状態への変換方向側に開口する凹状に形成するとともに回動軸よりも上方に配設し、排出可能状態への変換に伴って保持した遊技球を排出可能状態への変換方向に沿って排出可能としたので、遊技球の高速な排出に対応できる。すなわち、球保持部に保持された遊技球は、可動部材が回動して球保持部が傾くことに加え、排出可能状態に変換する際の勢いにより球保持部から排出されることとなるので、高速かつ確実な排出が可能となる。また、球保持部が排出可能状態への変換方向側に開口しているので、可動部材を大きく傾けなくても保持した遊技球の排出が可能となって、可動部材の回動範囲を狭くすることができ、高速かつ確実な排出が可能となる。
【００１０】
また、可動部材は、第１流路及び第２流路の並列方向に対して平行な回動軸を中心に回動可能に配されており、球保持部は、第１流路からの遊技球を保持可能な第１球保持部と、第２流路からの遊技球を保持可能な第２球保持部とが、回動軸の延在方向に沿って重なるように配設したので可動部材を小さくでき、排出装置の内部空間を効率よく利用できるとともに排出装置を小型化することができる。また、第１球保持部、第２球保持部は、第１流路及び第２流路の並列方向に対して平行な回動軸の延在方向に沿って重なるように配設されているので、より可動部材の回動範囲を狭くすることができ、高速な排出が可能となる。
【００１１】
請求項２に記載の発明は、請求項１に記載の遊技機であって、前記可動部材は、前記流入可能状態で、前記球保持部で保持された遊技球及び該保持された遊技球の上方に待機する遊技球により前記球保持部に加わる圧力が、前記回動軸に作用するようにしたことを特徴とする。
【００１２】
請求項２に記載の発明によれば、可動部材は、流入可能状態で、球保持部で保持された遊技球及び該保持された遊技球の上方に待機する遊技球により球保持部に加わる圧力が、回動軸に作用するようにしたので、駆動源に余計な負荷がかからなくなり、故障の発生や不具合の発生を防止できる。
【００１３】
請求項３に記載の発明は、請求項１または２に記載の遊技機であって、前記可動部材は、前記排出可能状態で、前記規制部に加わる遊技球の圧力が、前記回動軸に作用するようにしたことを特徴とする。
【００１４】
請求項３に記載の発明によれば、可動部材は、排出可能状態で、規制部に加わる遊技球の圧力が、回動軸に作用するようにしたので、駆動源に余計な負荷がかからなくなり、故障の発生や不具合の発生を防止できる。
【００１５】
請求項４に記載の発明は、請求項１から３の何れか一項に記載の遊技機であって、前記第１球保持部及び前記第２球保持部から排出された排出球を１箇所に集合させて排出装置外へ排出する集合流路を備え、前記集合流路内の前記排出球が通過しない領域に一部が臨むように前記駆動源を配置したことを特徴とする。
【００１６】
請求項４に記載の発明によれば、第１球保持部及び第２球保持部から排出された排出球を１箇所に集合させて排出装置外へ排出する集合流路を備え、集合流路内の排出球が通過しない領域に一部が臨むように駆動源を配置したので、排出流路を通過する排出球によって排出流路内の空気が淀みなく流れるようになり、排出流路内に臨んだ駆動源から発せられる熱を排出装置外へ効率よく逃がすことができて、駆動源が異常に発熱することを抑制できる。
【発明の効果】
【００１７】
本発明によれば、可動部材は、遊技球を保持可能な球保持部と、該球保持部への遊技球の流入を規制する規制部と、を備え、第１流路及び第２流路の並列方向に対して平行な回動軸を中心に回動可能に配され、第１流路及び第２流路のうち、何れか一方の流路で遊技球が球保持部へ流入可能な流入可能状態とすると、他方の流路では規制部が球保持部への遊技球の流入を規制するとともに球保持部に保持されていた遊技球を排出可能な排出可能状態となるように構成され、駆動源により正方向及び逆方向に交互に回動することで、第１流路と第２流路とで交互に排出可能状態に変換して、第１流路と第２流路とから交互に遊技球を排出するようにしたので、構成が簡略になりコストを削減できる。
【００１８】
すなわち、１つの可動部材を１つの駆動源により動作させることで排出の制御を行う簡略な構成であるので、製造のコストを削減できるとともに不具合の発生も防止できる。また、１つの可動部材で２つの流路の流下制御を行うことができ、遊技球の高速な排出にも対応できる。また、一旦球保持部に受け入れた遊技球を排出するようにしているので、排出する遊技球の個数を厳密に制御でき、少量の遊技球の排出でも確実に行うことができる。また、駆動源により正方向及び逆方向に交互に回動することで、第１流路と第２流路とで交互に排出可能状態に変換して、第１流路と第２流路とから交互に遊技球を排出するようにしたので、制御が非常に簡単である。
【００１９】
また、球保持部を、可動部材の上方及び排出可能状態への変換方向側に開口する凹状に形成するとともに回動軸よりも上方に配設し、排出可能状態への変換に伴って保持した遊技球を排出可能状態への変換方向に沿って排出可能としたので、遊技球の高速な排出に対応できる。すなわち、球保持部に保持された遊技球は、可動部材が回動して球保持部が傾くことに加え、排出可能状態に変換する際の勢いにより球保持部から排出されることとなるので、高速かつ確実な排出が可能となる。また、球保持部が排出可能状態への変換方向側に開口しているので、可動部材を大きく傾けなくても保持した遊技球の排出が可能となって、可動部材の回動範囲を狭くすることができ、高速かつ確実な排出が可能となる。
【００２０】
また、可動部材は、第１流路及び第２流路の並列方向に対して平行な回動軸を中心に回動可能に配されており、球保持部は、第１流路からの遊技球を保持可能な第１球保持部と、第２流路からの遊技球を保持可能な第２球保持部とが、回動軸の延在方向に沿って重なるように配設したので可動部材を小さくでき、排出装置の内部空間を効率よく利用できるとともに排出装置を小型化することができる。また、第１球保持部、第２球保持部は、第１流路及び第２流路の並列方向に対して平行な回動軸の延在方向に沿って重なるように配設されているので、より可動部材の回動範囲を狭くすることができ、高速な排出が可能となる。
【発明を実施するための最良の形態】
【００２１】
以下、この発明の実施形態について図面を参照して説明する。
ここでは、本発明にかかる遊技機の適例としてのパチンコ遊技機について図１から図１０を用いて説明を行う。
【００２２】
図１，２に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００２３】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００２４】
前面枠本体１３０は、矩形枠状の機枠１１０の前面側をちょうど覆うような概略矩形板状に構成されるとともに、その中央から上端部に渡る部分に、図３に示すような遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２５】
また、前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられたガイドレール２に囲まれた部分が、遊技球が発射されて流下する遊技領域１ａとされている。
【００２６】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板１４１が固定されている。そして、クリア部材保持枠１４０において、遊技機１００の前側からガラス板１４１を介して遊技盤１の前面側の少なくとも遊技領域１ａの部分が視認可能となっている。また、クリア部材保持枠１４０の前面であって、ガラス板１４１が固定されて遊技領域１ａを視認可能とする部分の周囲には、枠装飾装置としての装飾ランプ・ＬＥＤ１４４、音声を出力するスピーカ１４５，１４５などが設けられている。
【００２７】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２８】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置５２（図４に図示）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００２９】
また、図２に示すように、前面枠本体１３０の裏面側には、遊技機１００としての諸機能を実現するための機構として、例えば、島設備より供給される遊技球を貯留する貯留タンク１０１や、該貯留タンク１０１から、遊技球を流下誘導する遊技球誘導部材１０２，１０３が設けられている。また、球貸要求に応じた球排出や賞球排出を行う排出装置７０や、該排出装置７０から排出された遊技球を上皿１５３に誘導する排出流路１０４が設けられている。さらに、遊技盤１に設けられた各種入賞口へ入賞して回収された遊技球や何れの入賞口にも入賞せずにアウト口から回収された遊技球を機外の回収球搬送路へ導く遊技球回収機構などが設けられている。また、遊技盤１に設けた遊技装置の動作制御などを行うことで遊技の進行を統括的に制御する遊技制御装置３０、液晶表示装置などを備え、変動表示ゲームなどを表示する演出表示装置１３、球排出や打球の発射制御を行う排出発射制御装置５０、各部へ所定の電源を供給する電源供給装置６０等が設けられている。
【００３０】
遊技盤１は、図３に示すように、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置から遊技球（打球；遊技媒体）を発射して遊技を行うようになっている。
【００３１】
遊技領域１ａ内には、普通図柄始動ゲート４と、普通図柄変動表示ゲームの未処理回数を表示する普通図柄記憶表示器６（図４に図示）、普通図柄の変動表示ゲームを表示する普通図柄表示器５（図４に図示）が設けられている。また、遊技領域１ａ内には、始動入賞口をなす普通変動入賞装置７と、補助遊技としての特別図柄変動表示ゲームの未処理回数を点灯表示する特別図柄記憶表示器８、特別図柄変動表示ゲームを表示する特別図柄表示器９（図４に図示）が設けられている。
【００３２】
さらに遊技領域１ａには、上端側が手前側に倒れる方向に回動して開放可能になっているアタッカ形式の開閉扉１０ａを有し、補助遊技としての特別図柄変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車（図示略）、多数の障害釘（図示略）などが配設されている。
【００３３】
普通図柄始動ゲート４内には、該普通図柄始動ゲート４を通過した遊技球を検出するための普図始動センサ４ａが設けられている。そして、遊技領域１ａ内に打ち込まれた遊技球が普通図柄始動ゲート４内を通過すると、普通図柄変動表示ゲームが行われる。また、普通図柄変動表示ゲームを開始できない状態、例えば、既に普通図柄変動表示ゲームが行われ、その普通図柄変動表示ゲームが終了していない状態や、普通図柄変動表示ゲームが当って普通変動入賞装置７が開状態に変換されている場合に、普通図柄始動ゲート４を遊技球が通過すると、普通図柄始動記憶数の上限数未満でならば、普通図柄始動記憶数が１加算されて普通図柄始動記憶が１つ記憶されることとなる。なお、普通図柄変動表示ゲームの始動記憶は、ＬＥＤを備える普通図柄記憶表示器６にて表示されるようになっており、始動記憶が１つ記憶されるのに対応してＬＥＤを１つ点灯し、始動記憶が１つ減算されるのに対応してＬＥＤを１つ消灯するようになっている。
【００３４】
普通図柄変動表示ゲームは、遊技領域１ａ内に設けられた７セグからなる普通図柄表示器５で実行されるようになっている。なお、演出表示装置１３の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普通図柄変動表示ゲームの停止表示が特別の結果態様となれば、普通図柄の当りとなって、普通変動入賞装置７の開閉部材７ａ，７ａが所定時間（例えば、０.５秒間）上述のように開放される。これにより、普通変動入賞装置７に遊技球が入賞しやすくなり、特別図柄の変動表示ゲームの始動が容易となる。
【００３５】
普通変動入賞装置７は左右一対の開閉部材７ａ，７ａを具備し、この開閉部材７ａ，７ａは、常時は遊技球の直径程度の間隔をおいた閉じた状態（遊技者にとって不利な状態）を保持しているが、普通図柄変動表示ゲームの結果が所定の停止表示態様となった場合には、駆動装置としてのソレノイド（普電開閉ＳＯＬ７ｂ、図４に図示）によって、逆「ハ」の字状に開いて普通変動入賞装置７に遊技球が流入し易い状態（遊技者にとって有利な状態）に変化させられるようになっている。この普通変動入賞装置７は、特別図柄変動表示ゲームの始動入賞口も兼ねている。すなわち、普通変動入賞装置７の内部（入賞領域）に備えられた特図始動センサ７ｄによって遊技球を検出することに基づき、補助遊技としての特別図柄変動表示ゲームを開始する始動権利が発生するようになっている。
【００３６】
この特別図柄変動表示ゲームを開始する始動権利は、所定の上限数（例えば４）の範囲内で始動記憶（特別図柄始動記憶）として記憶される。従って、特別図柄変動表示ゲームが開始可能な状態で、且つ、始動記憶数が０の状態で、普通変動入賞装置７に遊技球が入賞すると、始動権利の発生に伴って始動記憶が記憶されて、始動記憶数が１加算されるととともに、直ちに始動記憶に基づいて、特別図柄変動表示ゲームが開始され、この際に始動記憶数が１減算される。
【００３７】
一方、特別図柄変動表示ゲームが直ちに開始できない状態、例えば、既に特別図柄変動表示ゲームが行われ、その特別図柄変動表示ゲームが終了していない状態や、特別遊技状態となっている場合に、普通変動入賞装置７に遊技球が入賞すると、始動記憶数が上限数未満ならば、始動記憶数が１加算されて始動記憶が１つ記憶されることになる。そして、始動記憶数が１以上となった状態で、特別図柄変動表示ゲームが開始可能な状態（前回の特別図柄変動表示ゲームの終了もしくは特別遊技状態の終了）となると、始動記憶数が１減算されるとともに、記憶された始動記憶に基づいて特別図柄変動表示ゲームが開始される。なお、特別図柄変動表示ゲームの始動記憶は、ＬＥＤを備える特別図柄記憶表示器８にて表示されるようになっており、始動記憶が１つ記憶されるのに対応してＬＥＤを１つ点灯し、始動記憶が１つ減算されるのに対応してＬＥＤを１つ消灯するようになっている。
【００３８】
補助遊技としての特別図柄（特図、識別情報）変動表示ゲームは、遊技領域１ａ内に設けられた７セグからなる特別図柄表示器９（図４に図示）で実行されるようになっており、複数の識別情報を変動表示したのち、所定の結果態様を停止表示することで行われる。また、演出表示装置１３にて複数種類の識別情報（例えば、数字、記号、キャラクタ図柄など）を変動表示させる特別図柄変動表示ゲームに対応した表示ゲームが実行されるようになっている。そして、この特別図柄変動表示ゲームの結果として、特別図柄表示器９の表示態様が特別結果態様（たとえば「７」）となった場合には、大当たりとなって特別遊技状態（いわゆる、大当たり状態）となる。また、これに対応して演出表示装置１３の表示態様も特別結果態様（例えば、「７，７，７」等のゾロ目数字の何れか）となる。なお、遊技機に特別図柄表示器９を備えずに、演出表示装置１３のみで特別図柄変動表示ゲームを実行するようにしても良い。
【００３９】
また、遊技領域１ａの略中央には、特別図柄変動表示ゲームの表示領域となる矩形状の表示窓部１４を形成するセンターケース１５が取り付けられている。このセンターケース１５に形成された表示窓部１４の後方には、演出表示装置１３が配されるようになっている。この演出表示装置１３は、例えば、液晶ディスプレイを備え、表示内容が変化可能な画像表示面１３ａがセンターケース１５の表示窓部１４を介して遊技盤１の前面側から視認可能となるように配されている。なお、演出表示装置１３は、液晶ディスプレイを備えるものに限らず、ＥＬ、ＣＲＴ等のディスプレイを備えるものであっても良い。
【００４０】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイド（大入賞口開閉ＳＯＬ１０ｂ、図４に図示）により駆動される。また、大入賞口の内部（入賞領域）には、該大入賞口に入った遊技球を検出する入賞球検出手段としてのカウントセンサ１０ｃが配設されている。
【００４１】
また、遊技領域１ａに設けられた各一般入賞口１２には、一般入賞口１２に入った遊技球を検出するための一般入賞口センサ１２ａが配設されている。そして、遊技を開始することにより遊技領域１ａ内に打ち込まれた遊技球が、一般入賞口１２，１２，…、普通変動入賞装置７、特別変動入賞装置１０等の入賞口の何れかに入賞すると、それぞれの入賞口に対応した所定数の賞球が排出装置７０によって排出される（払い出される）ようになっている。
【００４２】
また、図４に示すように、遊技機１００は、その制御系として遊技の進行を制御する遊技制御装置３０、この遊技制御装置３０の制御下で各種の演出に関する制御を行うサブ制御装置としての演出制御装置４０、排出装置７０による賞球または貸球の払い出しの制御と、発射装置５２による遊技球の発射の制御を行うサブ制御装置としての排出発射制御装置５０、電力を供給する電源供給装置６０を備えている。
【００４３】
遊技制御装置３０は、ＣＰＵ３１ａ、ＲＡＭ３１ｂ、ＲＯＭ３１ｃ等を有する遊技用マイクロコンピュータ３１を備えるとともに、入出力インタフェース（入出力Ｉ／Ｆ）３３、各種処理の同期やタイマ等のためのパルス信号を出力するクロック（ＣＬＫ）３２（発振器）等により構成されている。
【００４４】
ＣＰＵ３１ａは、制御部、演算部を備え、演算制御を行う他、特別図柄変動表示ゲームの大当たり判定用乱数値などの各種乱数値なども生成している。ＲＡＭ３１ｂは、普通変動入賞装置７に設けられた特図始動センサ７ｄのオン信号などを記憶する記憶領域や、前記各種乱数値の記憶領域、並びに、ＣＰＵ３１ａの作業領域等を備えている。ＲＯＭ３１ｃには、遊技上の制御プログラムや制御データが書き込まれている他、上述の各種乱数値に対応して、特別図柄変動表示ゲームの大当り発生を判定するための、特別図柄変動表示ゲームの大当り判定値、変動パターン（リーチアクションの種類）の判定値などが記憶されている。
【００４５】
また、入出力インタフェース３３には、ローパスフィルタ及びバッファーゲートを介して、特図始動センサ７ｄ、普図始動センサ４ａ、一般入賞口センサ１２ａ，１２ａ，…、カウントセンサ１０ｃ、などが接続されている。そして、入出力インタフェース３３は、これらから入力された各種信号を中継し、ＣＰＵ３１ａに対し出力する。さらに、入出力インタフェース３３には、ＣＰＵ３０ｂから出力される各種の制御信号が入力される。これら制御信号は、該入出力インタフェース３３により中継されて、図示しない出力ポート及びドライバを介して、特別図柄表示器９、特別図柄記憶表示器８、普通図柄表示器５、普通図柄記憶表示器６、大入賞口開閉ＳＯＬ１０ｂ、普電開閉ＳＯＬ７ｂ、遊技機外部の管理装置などと接続する外部出力端子１６、演出制御装置４０、排出発射制御装置５０に出力される。
【００４６】
サブ制御装置としての演出制御装置４０は、演算処理用ＣＰＵ、ＲＯＭ、ＲＡＭ等を備え、遊技制御装置３０から受信した演出制御データに基づいて（遊技制御装置３０の制御の下に）遊技機の制御を行うものである。演出制御装置４０が制御を行うものとしては、例えば、枠装飾装置としての装飾ランプ・ＬＥＤ１４４の点灯、点滅や、スピーカ１４５，１５７から出力される効果音、並びに、演出表示装置１３の表示内容がある。
【００４７】
サブ制御装置としての排出発射制御装置５０は、演算処理用ＣＰＵ、ＲＯＭ、ＲＡＭ等を備え、遊技制御装置３０からの賞球制御指令（賞球数データの受信）や、球貸機（図示略）からの球貸制御指令に基づいて、排出装置７０に所定数の遊技球（賞球、貸球）を排出させる制御を行う。また、発射装置５２による遊技球の発射制御を行ようになっており、排出発射制御装置５０には、遊技者が操作ハンドル１５６に触れることで、操作ハンドル１５６に設けられたタッチセンサ５４からの信号が入力されるようになっている。また、遊技者が操作ハンドル１５６に設けられた発射停止スイッチ５３を操作することで、該発射停止スイッチ５３からの入力信号がタッチセンサ５４からの入力信号と併せて入力されるようになっている。
【００４８】
また、遊技制御装置３０には、電源供給装置６０から電力が供給されており、その他の装置にも電源供給装置６０から電力が供給されるようになっている。さらに、電源供給装置６０には、停電時等の外部からの電力の供給が途絶えた場合でも電力を供給可能とするためのバックアップ電源６１が備えられ、停電時等に各制御装置の揮発性メモリに保存されたデータの消失を防止するようになっている。
【００４９】
これらの制御回路においては、例えば以下のような制御が行われる。
遊技制御装置３０のＣＰＵ３１ａでは、普通図柄始動ゲート４に備えられた普図始動センサ４ａからの遊技球の検出信号の入力に基づき、普通図柄の当たり判定用乱数値を抽出してＲＯＭ３１ｃに記憶されている判定値と比較し、普通図柄変動表示ゲームの当たり外れを判定する処理を行う。そして、普通図柄表示器５に、識別図柄を所定時間変動表示した後、停止表示する普通図柄変動表示ゲームを表示する処理を行う。この普通図柄変動表示ゲームの結果が当たりの場合は、普通図柄表示器５に特別の結果態様を表示するとともに、普電開閉ＳＯＬ７ｂを動作させ、普通変動入賞装置７の開閉部材７ａ，７ａを所定時間（例えば、０.５秒間）上述のように開放する制御を行う。なお、普通図柄変動表示ゲームの結果がはずれの場合は、普通図柄表示器５にはずれの結果態様を表示する制御を行う。
【００５０】
また、普通変動入賞装置７に備えられた特図始動センサ７ｄからの遊技球の検出信号の入力に基づき、特別図柄の大当たり判定用乱数値を抽出してＲＯＭ３１ｃに記憶されている判定値と比較し、特別図柄変動表示ゲームの当たり外れを判定する処理を行う。また、この他に変動パターンの判定を行う処理などを行い、これらの結果を含む制御信号（演出制御データ）を、演出制御装置４０に出力する。そして、特別図柄表示器９に、識別図柄を所定時間変動表示した後、停止表示する特別図柄変動表示ゲームを表示する処理を行う。また、演出制御装置４０では、遊技制御装置３０からの制御信号に基づき、演出表示装置１３で特別図柄変動表示ゲームに対応した表示ゲームを表示する処理や、スピーカ１４５，１５７からの音の出力、枠装飾装置としての装飾ランプ、ＬＥＤ１４４を制御する処理を行う。
【００５１】
そして、遊技制御装置３０のＣＰＵ３１ａは、特別図柄変動表示ゲームの結果が当たりの場合は、特別図柄表示器９に特別の結果態様を表示するとともに、特別遊技状態を発生させる処理を行う。この特別遊技状態を発生させる処理においては、例えば、大入賞口開閉ＳＯＬ１０ｂにより特別変動入賞装置１０の開閉扉１０ａを開放し、大入賞口内への遊技球の流入を可能とする制御を行う。そして、大入賞口に所定個数（例えば１０個）の遊技球が入賞するか、大入賞口の開放から所定時間か経過するかの何れかの条件が達成されるまで大入賞口を開放することを１ラウンドとし、これを所定ラウンド回数（例えば１５回）継続する（繰り返す）制御（サイクル遊技）を行う。なお、特別図柄変動表示ゲームの結果がはずれの場合は、特別図柄表示器９にはずれの結果態様を表示する制御を行う。
【００５２】
また、遊技制御装置３０のＣＰＵ３１ａは、各種入賞口に設けられたセンサ（特図始動センサ７ｄ、カウントセンサ１０ｃ、一般入賞口センサ１２ａ）から入力される遊技球の検出信号に基づき、排出発射制御装置５０に制御信号（賞球数データ）を出力する。排出発射制御装置５０は、制御信号の入力に基づき排出装置７０を制御して所定数の遊技球が払い出されるようにする。
【００５３】
また、排出発射制御装置５０は、操作ハンドル１５６に設けられたタッチセンサ５４からの信号が入力されている間は、発射装置５２を動作させて遊技球を発射する制御を行う。また、タッチセンサ５４から信号が入力されている間であっても、操作ハンドル１５６に設けられた発射停止スイッチ５３からの入力信号が入力されている場合は、発射装置５２を停止させて遊技球の発射を停止する制御を行う。
【００５４】
次に、排出装置７０の詳細について図５から１０を参照して説明する。
図５から７に示すように、排出装置７０は、略矩形箱状の第１ケース８０、第２ケース９０とからなるケース部材１９０の内部に各種部材を収容可能な空間を有する直方体状に形成されている。この第１ケース８０、第２ケース９０とから形成される内部の空間には、遊技球の流下を制御する可動部材１７０、該可動部材１７０を動作させるための駆動源１８０、排出される遊技球を検出する排出センサ１８３、排出発射制御装置５０からの配線を中継するための中継基板（図示略）が設けられている。
【００５５】
図７に示すように、第１ケース８０は、底壁８１と該底壁８１の周囲に沿って底壁８１に対して垂直に形成された周囲壁８２とを備え、該周囲壁８２で囲まれた内部には、底壁８１に対して垂直に第１流路形成壁８３が形成されている。
【００５６】
第１流路形成壁８３は、所定の間隔をおいて対向するように形成された一対の板状の壁部であり、底壁８１からの延出幅は周囲壁８２と等しく、第１ケース８０の開口部側の端部は周囲壁８２の端部と同一面上に位置している。この第１流路形成壁８３は、流路７１の側壁を形成するものであって、上側の周囲壁８２から下側の周囲壁８２にかけて形成されている。なお、この第１流路形成壁８３及び周囲壁８２の底壁８１からの延出幅は、遊技球の直径よりも広い幅とされている。
【００５７】
また、一対の対向する第１流路形成壁８３の上端部は上側の周囲壁８２に、下端部は下側の周囲壁８２にそれぞれ接続している。そして、上側及び下側の周囲壁８２における一対の対向する第１流路形成壁８３との接続部に挟まれた部分は、周囲壁８２が切欠き状に切り取られて一対の対向する第１流路形成壁８３の間隙に通じる開口が形成されており、この部分が流路７１の流入口７１ａ及び排出口７１ｂとなる。
【００５８】
また、所定間隔をおいて形成された一対の対向する第１流路形成壁８３の間には、流路７１を流下する遊技球を案内するための第１誘導リブ８５が底壁８１に対して垂直に形成されている。この第１誘導リブ８５は、一対の対向する第１流路形成壁８３のうち、第１ケース８０の開口部側から見て右側に位置する第１流路形成壁８３に沿って、遊技球の半径と略等しい間隔をおいて形成されている。
【００５９】
また、第２ケース９０も第１ケース８０と同様に、底壁９１と該底壁９１の周囲に沿って底壁９１に対して垂直に形成された周囲壁９２とを備え、該周囲壁９２で囲まれた内部には、底壁９１に対して垂直に第２流路形成壁９３が形成されている。
【００６０】
この第２流路形成壁９３は、第１ケース８０と第２ケース９０とを対向して配することにより、第１流路形成壁８３と一体となって流路の側壁を形成するものであって、第１流路形成壁８３と略同様に形成されている。すなわち、この第２流路形成壁９３は、所定の間隔をおいて対向する一対の板状の壁部であり、上側の周囲壁９２から下側の周囲壁９２にかけて形成されている。なお、この第２流路形成壁９３の底壁９１からの延出幅は、周囲壁９２の延出幅と等しく遊技球の直径よりもやや広い幅とされ、第２ケース９０の開口部側の端部は周囲壁９２の端部と同一面上に位置している。
【００６１】
また、一対の対向する流路形成壁９３の上端部は上側の周囲壁９２に、下端部は下側の周囲壁９２にそれぞれ接続している。そして、上側及び下側の周囲壁９２における一対の対向する第２流路形成壁９３との接続部に挟まれた部分は、周囲壁９２が切欠き状に切り取られて一対の対向する第２流路形成壁９３の間隙に通じる開口が形成されており、この部分が流路７１の流入口７１ａ及び排出口７１ｂとなる。
【００６２】
また、所定間隔をおいて形成された一対の対向する第２流路形成壁９３の間には、流路７１を流下する遊技球を案内するための第２誘導リブ９５、第３誘導リブ９６が底壁９１に対して垂直に形成されている。第２誘導リブ９５は、一対の対向する第２流路形成壁９３のうち、第２ケース９０の開口部側から見て左側に位置する第２流路形成壁９３に沿って、遊技球の半径と略等しい間隔をおいて形成されている。また、第３誘導リブは、一対の対向する第２流路形成壁９３のうち、第２ケース９０の開口部側から見て右側に位置する第２流路形成壁９３に沿って、遊技球の半径と略等しい間隔をおいて形成されている。
【００６３】
そして、図５に示すように、第１ケース８０と第２ケース９０とを対向して配することにより、図７に示す第１流路形成壁８３における第１ケース８０の開口側の端部と、第２流路形成壁９３における第２ケース９０の開口側の端部とが当接して一体となり、ケース部材１９０の内部に一対の対向する流路形成壁１９１が形成される。すなわち、この流路形成壁１９１は、対向して平行に配される第１ケース８０の底壁８１、第２ケース９０の底壁９１に対して垂直に形成される。これにより、第１ケース８０の底壁８１と、第２ケース９０の底壁９１と、第１流路形成壁８３及び第２流路形成壁９３とからなる流路形成壁１９１とにより、排出装置７０の上下方向に沿って延在する流路７１及び可動部材１７０を配設する可動部材配設部７６が形成されるようになっている。また、第１誘導リブ８５に対して、第２誘導リブ９５及び第３誘導リブ９６が所定の間隔をおいて対向して配されるようになっている。
【００６４】
このように形成される流路７１の上流側部分には、図５，９に示すように、上下方向に沿って遊技球が一列に流下可能な第１流路７２及び第２流路７３が隔壁１９２を挟んで並列に形成されている。なお、第１ケース側が第１流路７２であり、第２ケース側が第２流路７３である。
【００６５】
この第１流路７２と第２流路７３の上流側端部は、第１ケース８０の上部に開口した流入口７１ａとなっており、排出装置７０を遊技機１００に取り付けることで遊技球誘導部材１０３と接続し、第１流路７２と第２流路７３に遊技球が供給されるようになっている。この第１流路７２、第２流路７３が形成される部分では、一対の対向する流路形成壁１９１が、遊技球の直径よりやや広い間隔をおいて上下方向に沿うように形成されている。
【００６６】
さらに、図７に示すように、第１流路形成壁８３における第１ケース８０の開口側の端部と、第２流路形成壁９３における第２ケース９０の開口側の端部には、切欠き状の窪みである隔壁収容部１９３，１９３が形成されている。そして図５に示すように、この隔壁収容部１９３，１９３に嵌め込むように、板状の隔壁１９２を一対の流路形成壁１９１の間に架け渡すように配することで、対向する第１流路形成壁８３と第２流路形成壁９３との間が区画される。
【００６７】
これにより、第１流路７２では、一対の対向する第１流路形成壁８３と、第１誘導リブ８５における第１ケース８０の開口側の端部と、隔壁１９２とにより四方を囲む側面が形成される。なお、第１流路７２が形成された部分では、第１誘導リブ８５における第１ケース８０の開口側の端部と隔壁１９２との間隔が、遊技球の直径よりやや広い幅となっている。また、第２流路７３では、一対の対向する第２流路形成壁９３と、底壁９１と、隔壁１９２とにより四方を囲む側面が形成される。なお、第２流路７３が形成された部分では、底壁９１と隔壁１９２との間隔が、遊技球の直径よりやや広い幅となっている。
【００６８】
図７、９，１０に示すように、第１流路７２、第２流路７３の下流側には、後述するように、第１流路７２、第２流路７３から所定数の遊技球を流下させる制御を行うための可動部材１７０を配する可動部材配設部７６が形成されている。また、この可動部材配設部７６を迂回するように、第１流路７２から後述する第１球保持部１７２を介して排出された遊技球が流下する第１誘導流路７７、第２流路７３から後述する第２球保持部１７３を介して排出された遊技球が流下する第２誘導流路７８が形成されている。なお、第１誘導流路７７は、第１ケース８０側にあって、第１ケース８０の開口側の端部から見て、右側の第１流路形成壁８３に沿って形成されている。また、第２誘導流路７８は、第２ケース９０側にあって、第２ケース９０の開口側の端部から見て右側の第２流路形成壁９３に沿って形成されている。
【００６９】
さらに、第１誘導流路７７、第２誘導流路７８の下流側には、第１誘導流路７７、第２誘導流路７８を流下した遊技球を集合する漏斗状の集合流路７５が形成され、流下した遊技球をケース部材１９０の下部に開口した排出口７１ｂへ誘導するようになっている。排出口７１ｂは、遊技球が一列に流出する幅とされ、排出装置７０を遊技機１００に取り付けることで遊技機１００に形成された排出流路１０４と接続するようになっており、排出装置７０から排出された遊技球が上皿１５３に誘導されるようになっている。
【００７０】
第１誘導流路７７、第２誘導流路７８が形成される部分では、一対の対向する流路形成壁１９１がケース部材１９０の上下方向における中央部分にかけて互いの間隔が広がるように形成されている。また、この下流側の集合流路７５が形成される部分では、一対の対向する流路形成壁１９１が、ケース部材１９０の中央部分から下端部にかけて互いの間隔が徐々に狭まるように形成されている。
【００７１】
そして、第１誘導流路７７と、これに連続する集合流路７５の上流側部分は、主に、第１流路形成壁８３と、第１ケース８０に形成された第１誘導リブ８５と、第２ケース９０に形成された第２誘導リブ９５により三方を囲む側面が形成されている。このうち、第１誘導リブ８５と第２誘導リブ９５は対向して配されるようになっており、対向する端部の間隔は遊技球の直径よりもやや広い間隔とされている。なお、第１流路形成壁８３と対向する可動部材配設部７６側には側面が形成されていないが、後述するようにここを流下する遊技球は、可動部材１７０による排出の勢いによって第１流路形成壁８３に沿って流下するので、側面を形成しなくても問題ない。
【００７２】
また、第２誘導流路７８が形成された部分と、これに連続する集合流路７５の上流側部分は、主に底壁９１と第２流路形成壁９３とによって形成されている。また、後述する可動部材１７０を駆動する駆動源１８０の側面の一部と、駆動源１８０と可動部材１７０を接続する接続部１７４の一側面が、底壁９１と対向するように、遊技球の直径よりもやや広い間隔をおいて配され、側壁の一部をなしている。なお、第２誘導流路７８を流下する遊技球も可動部材１７０による排出の勢いによって第２流路形成壁９３に沿って流下するので、第２流路形成壁９３と対向する可動部材配設部７６側には側面が形成されていない。
【００７３】
また、集合流路７５の下流側部分は、一対の対向する流路形成壁１９１と、第１ケース８０に形成された第１誘導リブ８５と、この第１誘導リブ８５と対向して配される第２ケース９０に形成された第３誘導リブ９６により四方を囲む側面が形成されている。
【００７４】
ここで、ケース部材１９０の下部に開口した排出口７１ｂは、第１ケース８０と第２ケース９０の接合部分を跨ぐように形成されており、第１誘導流路７７よりも第２ケース９０側に、また、第２誘導流路７８よりも第１ケース８０側に位置している。よって、この排出口７１ｂに遊技球を誘導するために、第１誘導リブ８５は、第１誘導流路７７を流下した遊技球を第２ケース９０側に誘導するように、下流側に向かって底壁８１からの延出幅が大きくなるように形成されている。さらに、第３誘導リブ９６は、第２誘導流路７８を流下した遊技球を第１ケース８０側に誘導するように、下流側に向かって底壁９１からの延出幅が大きくなるように形成されている。そして、第１誘導リブ８５と第３誘導リブ９６の対向する端部の間隔が、下流側へ向かって狭まり、排出口７１ｂの近傍では、遊技球の直径よりもやや広い間隔となるようにされている。また、一対の対向する流路形成壁１９１の間隔も、下流側へ向かって狭まり、排出口７１ｂの近傍では、遊技球の直径よりもやや広い間隔となるようにされている。
【００７５】
このように形成される第１誘導流路７７、第２誘導流路７８、集合流路７５により、可動部材１７０を介して排出された遊技球が、第１ケース８０と第２ケース９０の接合部分を跨ぐように形成された排出口７１ｂから一列に排出されるようになる。また、排出口７１ｂの直上の集合流路７５を形成する部分には排出センサ取付部８７が形成され、排出される遊技球を検出する排出センサ１８３が取り付けられている。
【００７６】
また、第１流路７２、第２流路７３の下方であって、可動部材１７０を配設する可動部材配設部７６には、可動部材１７０の回動軸１７１を支持するために、第１ケース８０の底壁８１に支持部８８が形成され、対向する第２ケース９０の底壁９１にも支持部９７が形成されている。この支持部８８，９７は、回動軸１７１を挿通可能な挿通孔を有し、この挿通孔の中心を結ぶ線が、第１流路７２、第２流路７３の並列方向に沿って第１流路７２及び第２流路７３を二分する鉛直面上に位置するように形成されている。なお、この挿通孔の中心を結ぶ線が、回動軸１７１の配設方向となる。また、第１ケース８０の底壁８１に形成された支持部８８は、底壁８１から延出するボス状に形成されており、その延出幅は、第１流路７２の側面をなす第１誘導リブ８５の底壁８１からの延出幅と等しくなっている。
【００７７】
また、第１ケース８０の開口側の端部から見て左側の第１流路形成壁８３は、可動部材配設部７６に隣設する部分で一部途切れており、可動部材配設部７６に連通する接続用開口１９４を形成するようになっている。そして、この接続用開口１９４に隣設する流路７１の外側には、可動部材１７０を駆動する駆動源１８０を取り付ける駆動源配設部１９５が形成され、駆動源１８０を固定するためのねじ穴１９５ａ，１９５ａが形成されている。また、周囲壁８２の駆動源配設部１９５に隣設する部分には、駆動源１８０の側面形状にあわせて開口８２ａが形成されており、ここから駆動源１８０の側面が外部に露出するようになっている。
【００７８】
ここに取り付けられる駆動源１８０は、駆動源本体１８０ａを貫通するように配されて両側面から突出する駆動軸１８０ｂを、その延在方向に沿って伸張した状態と退縮した状態とに往復動作するとともに、その状態を保持できるラッチングソレノイドであって、駆動軸１８０ｂの動作方向が可動部材１７０の上下方向に沿うように、駆動源配設部１９５に配されている。そしてこの駆動軸１８０ｂに接続された接続部材１８１が、接続用開口１９４を通して可動部材１７０の接続軸１７４ａに接続され、駆動源１８０により可動部材１７０を動作できるようにされている。
【００７９】
また、駆動源１８０の一部は接続用開口１９４から集合流路７５内に臨み、その側面が集合流路７５の側面の一部をなすようになっている。集合流路７５内の空気は、集合流路７５を通過する排出球によって淀みなく流れるので、集合流路７５内に臨んだ駆動源１８０から発せられる熱を排出装置７０外へ効率よく逃がすことができて、駆動源１８０が異常に発熱することを抑制できる。
【００８０】
以上のことから、第１球保持部１７２及び第２球保持部１７３から排出された排出球を１箇所に集合させて排出装置７０外へ排出する集合流路７５を備え、集合流路７５内の排出球が通過しない領域に一部が臨むように駆動源１８０を配置したこととなる。
【００８１】
また、第１ケース８０の底壁８１の四隅には、ねじ止め部８４，８４，…が形成されており、第２ケース９０の四隅に形成されたねじ孔９４に挿通したねじを、ねじ止め部８４に螺合することで第１ケース８０と第２ケース９０とを固着できるようになっている。
【００８２】
図６，８，９，１０に示すように、可動部材配設部７６に配設される可動部材１７０は、第１流路７２、第２流路７３から所定数の遊技球を流下させる制御を行うためのものであって、回動軸１７１を中心に回動可能に取り付けられている。図８に示すように、この可動部材１７０は、回動軸１７１を挿通可能な筒状の回動軸挿通部１７０ａを有し、ここに挿通される回動軸１７１の延在方向に沿って、第１流路７２及び第２流路７３の幅と略等しい幅を有している。
【００８３】
また、可動部材１７０には、回動軸挿通部１７０ａに挿通される回動軸１７１の延在方向に沿って、遊技球を保持可能な凹部である二つの球保持部１７２，１７３が重なるように形成されている。この二つの球保持部１７２，１７３は、回動軸１７１の径方向に沿って形成された区画壁１７０ｂにより区画されているが。この区画壁１７０ｂは第１流路７２と第２流路７３を区画する隔壁１９２と同じ厚みを有しており、各球保持部１７２，１７３の回動軸１７１の延在方向に沿った幅は、第１流路７２、第２流路７３の幅と略等しい。
【００８４】
また、二つの球保持部１７２，１７３は、いずれも回動軸１７１の径方向及び周方向の一方に開口し、遊技球を保持する面は、遊技球と同じ曲率を有する曲面とされており、受け入れた遊技球を確実に保持できるようになっている。すなわち、球保持部１７２，１７３は、回動軸１７１に垂直な断面の形状が略Ｊ字形となっており、回動軸１７１の周方向側に位置する端部のうち、一方が回動軸１７１からの径方向の距離が短い開口側端部１７２ａ，１７３ａとされ、他方が回動軸１７１からの径方向の距離が長い規制側端部１７２ｂ，１７３ｂとされている。
【００８５】
また、この二つの球保持部１７２，１７３における周方向に沿った開口の向きは、それぞれ異なっており、回動軸１７１の端部から見ると、奥側に位置する一方は回動軸１７１に対して時計回り方向に開口し、手前側に位置する他方は回動軸１７１に対して反時計回り方向に開口するようになっている。さらに、回動軸１７１の周方向側に位置する端部のうち、回動軸１７１からの径方向の距離が長い規制側端部１７２ｂ，１７３ｂは、回動軸１７１からの径方向に沿った延出幅が区画壁１７０ｂと等しくされている。そして、この規制側端部１７２ｂ，１７３ｂ及び区画壁１７０ｂにおける延出方向側の端部は、回動軸を中心とする円の円周に沿う円弧状の面とされている。
【００８６】
また、可動部材１７０には、回動軸１７１が設けられた部分に隣設して駆動源１８０と接続するための接続部１７４が形成されている。この接続部１７４には回動軸１７１の延在方向と同じ方向に延在する接続軸１７４ａが設けられており、この接続軸１７４ａが接続部材１８１を介して駆動源１８０に接続するようになっている。また、接続部１７４の接続軸１７４ａが延出する面と反対側の面１７４ｂは、区画壁１７０ｂにおける同じ側の面と同一面上に位置しており、第２誘導流路７８の側面の一部をなすようになっている。
【００８７】
以上のような構成を有する可動部材１７０は、図６，９，１０に示すように、二つの球保持部１７２，１７３が第１流路７２、第２流路７３の並列方向に沿って並ぶとともに、回動軸１７１よりも上方に位置し、球保持部１７２，１７３の径方向の開口が上方を向くように配される。そして、二つの球保持部１７２，１７３のうち、第１流路７２側に位置する一方が第１流路７２からの遊技球を受け入れる第１球保持部１７２をなし、第２流路７３側に位置する他方が第２流路７３からの遊技球を受け入れる第２球保持部１７３をなす。
【００８８】
また、第１球保持部１７２における回動軸１７１の周方向側に位置する端部のうち、回動軸１７１からの径方向の距離が長い規制側端部１７２ｂは、第１流路７２からの遊技球の流出を規制可能となるように、第１流路７２の下流側端部と近接して配される。同様に、第２球保持部１７３における回動軸１７１の周方向側に位置する端部のうち、回動軸１７１からの径方向の距離が長い規制側端部１７３ｂは、第２流路７３からの遊技球の流出を規制可能となるように、第２流路７３の下流側端部と近接して配される。すなわち、この規制側端部１７２ｂ、１７３ｂが、第１球保持部１７２、第２球保持部１７３への流入を規制する規制部１７５をなす。
【００８９】
そして、可動部材１７０は、回動軸１７１が第１流路７２、第２流路７３の並列方向に沿って第１流路７２及び第２流路７３を二分する鉛直面上に位置するように、第１ケース８０の底壁８１に形成された支持部８８と、第２ケース９０に形成された支持部９７とにより回動可能に支持されるようになっている。このとき、回動軸１７１は、第１ケース８０の底壁８１及び第２ケース９０の底壁９１対して垂直に、すなわち、第１流路７２、第２流路７３の並列方向に対して平行に支持されるようになっている。これにより、可動部材１７０は、第１流路７２、第２流路７３の並列方向に対して垂直に、底壁８１，９１と平行な面内で回動可能となる。
【００９０】
上述したように、第１ケース８０に形成された支持部８８の底壁８１からの延出幅は、第１流路７２の側面をなす第１誘導リブ８５の底壁８１からの延出幅と等しくなっている。また、可動部材１７０の区画壁１７０ｂは第１流路７２と第２流路７３を区画する隔壁１９２と同じ厚みを有し、各球保持部１７２，１７３の回動軸１７１の延在方向に沿った幅は、第１流路７２、第２流路７３の幅と略等しくなっている。これにより、第１球保持部１７２、第２球保持部１７３は、それぞれ第１流路７２、第２流路７３の直下に配されるようになっている。
【００９１】
また、回動軸１７１が設けられた部分に隣設して形成された接続部１７４は、回動軸１７１に対して、第２ケース９０側から見て左側に形成された駆動源配設部１９５側に配されるようになっている。これにより、この接続部１７４を上方へ移動させると、第２ケース９０側から見て、可動部材１７０が時計回り方向に回動し、逆に下方へ移動させると可動部材１７０が反時計回り方向に回動するようになっている。
【００９２】
以上のような排出装置７０は、図２に示すように、前面枠本体１３０の裏面側に配されており、遊技球を貯留する貯留タンク１０１から、遊技球を流下誘導する遊技球誘導部材１０２，１０３を介して遊技球が供給されるようになっている。遊技球誘導部材１０２，１０３の内部には、遊技球が一列に並んで流下する流下路が前後に二列並んで形成されており、その一方が第１流路７２の上流側端部に接続し、他方が第２流路７３の上流側端部に接続するようになっている。そして、排出装置７０は、遊技制御装置３０の制御の下、排出発射制御装置５０により制御されて所定数の遊技球を排出し、排出された遊技球は排出流路１０４を通って上皿１５３へ誘導されるようになっている。
【００９３】
この排出装置７０は駆動源１８０により可動部材１７０を駆動することで所定数の遊技球を排出するようになっている。駆動源１８０としてのラッチングソレノイドは、内部に設けられたコイルへの通電により駆動軸１８０ｂが伸張した状態と退縮した状態とに往復動作するようになっている。また、駆動軸１８０ｂが伸張した状態もしくは退縮した状態を、内部に設けられた永久磁石の保持力により保持できるようになっている。
【００９４】
この駆動源１８０により、可動部材１７０は所定の角度の範囲で正方向（例えば、第２ケース９０側から見て時計回り方向）および逆方向（例えば、第２ケース９０側から見て反時計回り方向）に回動されるようになっている。そして、図９に示すように、第２ケース９０側から見て、可動部材１７０が最も反時計回り方向に回動した第１状態と、図１０に示すように、最も時計回り方向に回動した第２状態とに変換できるとともに、その状態を保持できるようになっている。
【００９５】
図９に示すように、第１状態では、駆動源１８０の駆動軸１８０ｂが退縮して動作範囲における下端となる位置にあって、これに伴い、接続部材１８１を介して接続する可動部材１７０の接続部１７４が、動作範囲における下端となる位置に配される。これにより、可動部材１７０が第２ケース９０側から見て、最も反時計回り方向に回動した状態となる。
【００９６】
この第１状態では、図９（ｃ）に示すように、第１流路７２に対応した第１球保持部１７２が第１流路７２の下流側端部に臨む状態となり、第１流路７２の最も下流側に位置する遊技球が第１球保持部１７２内に流入可能な流入可能状態となる。また、この状態では、第１球保持部１７２における回動軸１７１の周方向側に位置する端部のうち、回動軸１７１からの径方向の距離が短い開口側端部１７２ａと、第１流路形成壁８３における第１流路７２の下端部となる部分８３ａとの間隔が遊技球の直径以下の間隔となる。すなわち、第１流路７２と第１誘導流路７７の境界部分における流路の幅が遊技球の直径以下となり、遊技球が通過できない状態となる。これにより、第１球保持部１７２で保持した遊技球の第１誘導流路７７への流下が規制され、１個の遊技球を第１球保持部１７２で保持可能となる。
【００９７】
なお、このとき、第１球保持部１７２で保持された遊技球の重心位置は、回動軸１７１の略真上に位置している。よって、第１球保持部１７２にかかる遊技球の荷重は回動軸１７１に作用するようになっている。これにより、第１球保持部１７２で保持した遊技球やその上方で待機する遊技球の球圧を回動軸１７１により受けることができて、可動部材１７０に無理な力がかからなくなって、変形する等の不具合を防止できる。
【００９８】
以上のことから、可動部材１７０は、流入可能状態で、球保持部１７２，１７３で保持された遊技球及び該保持された遊技球の上方に待機する遊技球により球保持部１７２，１７３に加わる圧力が、回動軸１７１に作用するようにしたこととなる。
【００９９】
また、この第１状態では、図９（ｂ）に示すように、第２流路７３に対応した第２球保持部１７３が、保持した遊技球を第２誘導流路７８内へ排出可能な排出可能状態となる。この状態では、第２球保持部１７３における回動軸１７１の周方向側に位置する端部のうち、回動軸１７１からの径方向の距離が短い開口側端部１７３ａと、第２流路形成壁９３との間隔が遊技球の直径以上の間隔となる。すなわち、第２流路７３と第２誘導流路７８の境界部分における流路の幅が遊技球の直径以上となり、遊技球が第２誘導流路７８へ流下可能となる。また、この状態では、第２球保持部１７３における回動軸１７１の周方向側に位置する端部のうち、回動軸１７１からの径方向の距離が短い開口側端部１７３ａが第２球保持部１７３における最下部となり、曲面とされた第２球保持部１７３の傾斜に沿って遊技球が第２誘導流路７８へ排出されるようになっている。
【０１００】
ここで、第２球保持部１７３は、回動軸１７１の径方向及び周方向に開口しているが、周方向の開口の向きは、第２球保持部１７３が排出可能状態へ変換する方向（第２ケース９０側から見て反時計回り方向）となっている。よって、可動部材１７０が、第２ケース９０側から見て反時計回り方向に回動してこの第１状態に変換される過程で、第２球保持部１７３で保持された遊技球が周方向に沿って付勢され、その後、上述のように第２誘導流路７８へ排出可能な状態となることで、遊技球が排出可能状態への変換方向に沿って、確実に第２誘導流路７８内に排出されることとなる。
【０１０１】
第２誘導流路７８に排出された遊技球は、可動部材１７０による排出の勢いによって第２流路形成壁９３に沿って、第２ケース９０側から見て可動部材配設部７６の周囲を反時計回り方向に迂回して下方に流下する。その後、集合流路７５に流入して排出口７１ｂが設けられたケース部材１９０下端の中心方向に誘導され、排出口７１ｂから排出される。
【０１０２】
また、この第１状態では、規制部１７５をなす第２球保持部１７３における回動軸１７１の周方向側に位置する端部のうち、回動軸１７１からの径方向の距離が長い規制側端部１７３ｂが第２流路７３の下流側端部を閉鎖し、第２流路７３からの遊技球の流出を規制して第２球保持部１７３への流入を規制する状態となる。なお、この規制部１７５にかかる遊技球の荷重は回動軸１７１に作用するようになっている。これにより、流下規制される球の球圧を回動軸１７１により受けることができて、可動部材１７０に無理な力がかからなくなって、変形する等の不具合を防止できる。
【０１０３】
以上のことから、可動部材１７０は、排出可能状態で、規制部１７５（規制側端部１７２ｂ，１７３ｂ）に加わる遊技球の圧力が、回動軸１７１に作用するようにしたこととなる。
【０１０４】
この第１状態から、駆動源１８０としてのラッチングソレノイドを一回動作させると、図１０に示すような第２状態に変換される。第２状態は上述の第１状態とは逆に、駆動源１８０の駆動軸１８０ｂが伸張して動作範囲における上端となる位置にあって、これに伴い、接続部材１８１を介して接続する可動部材１７０の接続部１７４が、動作範囲における上端となる位置に配される。これにより、可動部材１７０が第２ケース９０側から見て、最も時計回り方向に回動した状態となる。
【０１０５】
この第２状態では、図１０（ｂ）に示すように、第２流路７３に対応した第２球保持部１７３が第２流路７３の下流側端部に臨む状態となり、第２流路７３の最も下流側に位置する遊技球が第２球保持部１７３内に流入可能な流入可能状態となる。また、この状態では、第２球保持部１７３における回動軸１７１の周方向側に位置する端部のうち、回動軸１７１からの径方向の距離が短い開口側端部１７３ａと、第２流路形成壁９３における第２流路７３の下端部となる部分９３ａとの間隔が遊技球の直径以下の間隔となる。すなわち、第２流路７３と第２誘導流路７８の境界部分における流路の幅が遊技球の直径以下となり、遊技球が通過できない状態となる。これにより、第２球保持部１７３で保持した遊技球の第２誘導流路７８への流下が規制され、１個の遊技球を第２球保持部１７３で保持可能となる。
【０１０６】
なお、このとき、第２球保持部１７３で保持された遊技球の重心位置は、回動軸１７１の略真上に位置している。よって、第２球保持部１７３にかかる遊技球の荷重は回動軸１７１に作用するようになっている。これにより、第２球保持部１７３で保持した遊技球やその上方で待機する遊技球の球圧を回動軸１７１により受けることができて、可動部材１７０に無理な力がかからなくなって、変形する等の不具合を防止できる。
【０１０７】
また、この第２状態では、図１０（ｃ）に示すように、第１流路７２に対応した第１球保持部１７２が、保持した遊技球を第１誘導流路７７内へ排出可能な排出可能状態となる。この状態では、第１球保持部１７２における回動軸１７１の周方向側に位置する端部のうち、回動軸１７１からの径方向の距離が短い開口側端部１７２ａと、第１流路形成壁８３との間隔が遊技球の直径以上の間隔となる。すなわち、第１流路７２と第１誘導流路７７の境界部分における流路の幅が遊技球の直径以上となり、遊技球が第１誘導流路７７へ流下可能となる。また、この状態では、第１球保持部１７２における回動軸１７１の周方向側に位置する端部のうち、回動軸１７１からの径方向の距離が短い開口側端部１７２ａが第１球保持部１７２における最下部となり、曲面とされた第１球保持部１７２の傾斜に沿って遊技球が第１誘導流路７７へ排出されるようになっている。
【０１０８】
第１球保持部１７２も第２球保持部１７３と同様に、回動軸１７１の径方向及び周方向に開口しているが、周方向の開口の向きは、第１球保持部１７２が排出可能状態へ変換する方向（第２ケース９０側から見て時計回り方向）となっている。よって、可動部材１７０が、第２ケース９０側から見て時計回り方向に回動してこの第２状態に変換される過程で、第１球保持部１７２で保持された遊技球が周方向に沿って付勢され、その後、上述のように第１誘導流路７７へ排出可能な状態となることで、遊技球が排出可能状態への変換方向に沿って、確実に第１誘導流路７７排出されることとなる。
【０１０９】
第１誘導流路７７に排出された遊技球は、可動部材１７０による排出の勢いによって第１流路形成壁８３に沿って、第２ケース９０側から見て可動部材配設部７６の周囲を時計回り方向に迂回して下方に流下する。その後、集合流路７５に流入して排出口７１ｂが設けられたケース部材１９０下端の中心方向に誘導され、排出口７１ｂから排出される。
【０１１０】
すなわち、球保持部１７２，１７３に保持された遊技球は、可動部材１７０が回動して球保持部１７２，１７３が傾くことに加え、排出可能状態に変換する際の勢いにより球保持部１７２，１７３から排出されることとなるので、高速かつ確実な排出が可能となる。また、球保持部１７２，１７３が排出可能状態への変換方向側に開口しているので、可動部材１７０を大きく傾けなくても保持した遊技球の排出が可能となり、可動部材１７０の回動範囲を狭くすることができて高速かつ確実な遊技球の排出が可能となる。
【０１１１】
また、この第２状態では、規制部１７５をなす第１球保持部１７２における回動軸１７１の周方向側に位置する端部のうち、回動軸１７１からの径方向の距離が長い規制側端部１７２ｂが第１流路７２の下流側端部を閉鎖し、第１流路７２からの遊技球の流出を規制して第１球保持部１７２への流入を規制する状態となる。なお、この規制部１７５にかかる遊技球の荷重は回動軸１７１に作用するようになっている。これにより、流下規制される球の球圧を回動軸１７１により受けることができて、可動部材１７０に無理な力がかからなくなって、変形する等の不具合を防止できる。
【０１１２】
つまり、第１流路７２及び第２流路７３のうち、何れか一方の流路で遊技球が球保持部１７２，１７３へ流入可能な流入可能状態とすると、他方の流路では規制部１７５が球保持部１７２，１７３への遊技球の流入を規制するとともに球保持部１７２，１７３に保持されていた遊技球を排出可能な排出可能状態となるように構成されている。
【０１１３】
このように、可動部材１７０を第１状態から第２状態へ変換する動作と、第２状態から第１状態に変換する動作とを交互に繰り返すことで、第１流路７２と第２流路７３とから交互に遊技球が排出される。第１流路７２、第２流路７３から排出された遊技球は、集合流路７５により排出口７１ｂに誘導され、排出口７１ｂから排出装置７０の外部へ排出される。
【０１１４】
また、第１球保持部１７２、第２球保持部１７３は１個の遊技球を保持可能に構成されているので、可動部材１７０を第１状態から第２状態へ、もしくは第２状態から第１状態へ変換する毎に、遊技球が１個排出されることとなり、所定数の遊技球を排出することが可能となる。また、このように可動部材１７０を動作することで排出される遊技球は、排出口７１ｂに設けられた排出センサ１８３により検出されるようになっており、この排出センサ１８３からの検出信号に基づき、排出された遊技球の個数を計数することができるようになっている。これにより所定数の遊技球を確実に排出することができる。
【０１１５】
以上のことから、所定の排出条件の成立に基づき、所要数の遊技球を排出する排出装置７０を備えた遊技機１００において、排出装置７０は、遊技球が待機する並列に形成された第１流路７２及び第２流路７３と、第１流路７２及び第２流路７３の下流側端部に臨む可動部材１７０と、可動部材１７０を駆動する駆動源１８０と、を備え、可動部材１７０は、遊技球を保持可能な球保持部１７２，１７３と、該球保持部１７２，１７３への遊技球の流入を規制する規制部１７５と、を備え、第１流路７２及び前記第２流路７３の並列方向に対して平行な回動軸１７１を中心に回動可能に配され、第１流路７２及び第２流路７３のうち、何れか一方の流路で遊技球が球保持部へ流入可能な流入可能状態とすると、他方の流路では規制部１７５が球保持部への遊技球の流入を規制するとともに球保持部に保持されていた遊技球を排出可能な排出可能状態となるように構成され、駆動源１８０により正方向及び逆方向に交互に回動することで、第１流路７２と前記第２流路７３とで交互に排出可能状態に変換して、第１流路７２と第２流路７３とから交互に遊技球を排出するようにし、球保持部１７２，１７３は、可動部材１７０の上方及び排出可能状態への変換方向側に開口する凹状に形成するとともに回動軸１７１よりも上方に配設して、排出可能状態への変換に伴って保持した遊技球を排出可能状態への変換方向に沿って排出可能とし、第１流路７２からの遊技球を保持可能な第１球保持部１７２と、第２流路７３からの遊技球を保持可能な第２球保持部１７３とが、回動軸１７１の延在方向に沿って重なるように配設したこととなる。
【０１１６】
なお、以上の実施形態においては、駆動源１８０としてラッチングソレノイドを用いたが、これに限られるものではなく、ソレノイド、ロータリーソレノイド、モータなどを用いても良い。
また、第１球保持部１７２、第２球保持部１７３は遊技球を１個保持できるとしたが、２個以上保持できるようにしても良い。
【０１１７】
以上のような遊技機１００は、所定の排出条件の成立に基づき、所要数の遊技球を排出する排出装置７０を備えた遊技機１００であって、排出装置７０は、遊技球が待機する並列に形成された第１流路７２及び第２流路７３と、第１流路７２及び第２流路７３の下流側端部に臨む可動部材１７０と、可動部材１７０を駆動する駆動源１８０と、を備え、可動部材１７０は、遊技球を保持可能な球保持部１７２，１７３と、該球保持部１７２，１７３への遊技球の流入を規制する規制部１７５と、を備え、第１流路７２及び前記第２流路７３の並列方向に対して平行な回動軸１７１を中心に回動可能に配され、第１流路７２及び第２流路７３のうち、何れか一方の流路で遊技球が球保持部へ流入可能な流入可能状態とすると、他方の流路では規制部１７５が球保持部への遊技球の流入を規制するとともに球保持部に保持されていた遊技球を排出可能な排出可能状態となるように構成され、駆動源１８０により正方向及び逆方向に交互に回動することで、第１流路７２と前記第２流路７３とで交互に排出可能状態に変換して、第１流路７２と第２流路７３とから交互に遊技球を排出するようにし、球保持部１７２，１７３は、可動部材１７０の上方及び排出可能状態への変換方向側に開口する凹状に形成するとともに回動軸１７１よりも上方に配設して、排出可能状態への変換に伴って保持した遊技球を排出可能状態への変換方向に沿って排出可能とし、第１流路７２からの遊技球を保持可能な第１球保持部１７２と、第２流路７３からの遊技球を保持可能な第２球保持部１７３とが、回動軸１７１の延在方向に沿って重なるように配設している。
【０１１８】
したがって、可動部材１７０は、遊技球を保持可能な球保持部１７２，１７３と、該球保持部１７２，１７３への遊技球の流入を規制する規制部１７５と、を備え、第１流路７２及び第２流路７３の並列方向に対して平行な回動軸１７１を中心に回動可能に配され、第１流路７２及び第２流路７３のうち、何れか一方の流路で遊技球が球保持部へ流入可能な流入可能状態とすると、他方の流路では規制部１７５が球保持部への遊技球の流入を規制するとともに球保持部に保持されていた遊技球を排出可能な排出可能状態となるように構成され、駆動源１８０により正方向及び逆方向に交互に回動することで、第１流路７２と第２流路７３とで交互に排出可能状態に変換して、第１流路７２と第２流路７３とから交互に遊技球を排出するようにしたので、構成が簡略になりコストを削減できる。
【０１１９】
すなわち、１つの可動部材１７０を１つの駆動源１８０により動作させることで排出の制御を行う簡略な構成であるので、製造のコストを削減できるとともに不具合の発生も防止できる。また、１つの可動部材１７０で２つの流路の流下制御を行うことができ、遊技球の高速な排出にも対応できる。また、一旦球保持部１７２，１７３に受け入れた遊技球を排出するようにしているので、排出する遊技球の個数を厳密に制御でき、少量の遊技球の排出でも確実に行うことができる。また、駆動源１８０により正方向及び逆方向に交互に回動することで、第１流路７２と第２流路７３とで交互に排出可能状態に変換して、第１流路７２と第２流路７３とから交互に遊技球を排出するようにしたので、制御が非常に簡単である。
【０１２０】
また、球保持部１７２，１７３を、可動部材１７０の上方及び排出可能状態への変換方向側に開口する凹状に形成するとともに回動軸１７１よりも上方に配設し、排出可能状態への変換に伴って保持した遊技球を排出可能状態への変換方向に沿って排出可能としたので、遊技球の高速な排出に対応できる。すなわち、球保持部１７２，１７３に保持された遊技球は、可動部材１７０が回動して球保持部１７２，１７３が傾くことに加え、排出可能状態に変換する際の勢いにより球保持部１７２，１７３から排出されることとなるので、高速かつ確実な排出が可能となる。また、球保持部１７２，１７３が排出可能状態への変換方向側に開口しているので、可動部材１７０を大きく傾けなくても保持した遊技球の排出が可能となって、可動部材１７０の回動範囲を狭くすることができ、高速かつ確実な排出が可能となる。
【０１２１】
また、可動部材１７０は、第１流路７２及び第２流路７３の並列方向に対して平行な回動軸１７１を中心に回動可能に配されており、球保持部１７２，１７３は、第１流路７２からの遊技球を保持可能な第１球保持部１７２と、第２流路７３からの遊技球を保持可能な第２球保持部１７３とが、回動軸１７１の延在方向に沿って重なるように配設したので可動部材１７０を小さくでき、排出装置７０の内部空間を効率よく利用できるとともに排出装置７０を小型化することができる。また、第１球保持部１７２、第２球保持部１７３は、第１流路７２及び第２流路７３の並列方向に対して平行な回動軸１７１の延在方向に沿って重なるように配設されているので、より可動部材１７０の回動範囲を狭くすることができ、高速な排出が可能となる。
【０１２２】
また、可動部材１７０は、流入可能状態で、球保持部１７２，１７３で保持された遊技球及び該保持された遊技球の上方に待機する遊技球により球保持部１７２，１７３に加わる圧力が、回動軸１７１に作用するようにしている。
【０１２３】
したがって、可動部材１７０は、流入可能状態で、球保持部１７２，１７３で保持された遊技球及び該保持された遊技球の上方に待機する遊技球により球保持部１７２，１７３に加わる圧力が、回動軸１７１に作用するようにしたので、駆動源１８０に余計な負荷がかからなくなり、故障の発生や不具合の発生を防止できる。
【０１２４】
また、可動部材１７０は、排出可能状態で、規制部１７５に加わる遊技球の圧力が、回動軸１７１に作用するようにしている。
【０１２５】
したがって、可動部材１７０は、排出可能状態で、規制部１７５に加わる遊技球の圧力が、回動軸１７１に作用するようにしたので、駆動源１８０に余計な負荷がかからなくなり、故障の発生や不具合の発生を防止できる。
【０１２６】
また、第１球保持部１７２及び第２球保持部１７３から排出された排出球を１箇所に集合させて排出装置７０外へ排出する集合流路７５を備え、集合流路７５内の排出球が通過しない領域に一部が臨むように駆動源１８０を配置している。
【０１２７】
したがって、第１球保持部１７２及び第２球保持部１７３から排出された排出球を１箇所に集合させて排出装置７０外へ排出する集合流路７５を備え、集合流路７５内の排出球が通過しない領域に一部が臨むように駆動源１８０を配置したので、集合流路７５を通過する排出球によって集合流路７５内の空気が淀みなく流れるようになり、集合流路７５内に臨んだ駆動源１８０から発せられる熱を排出装置７０外へ効率よく逃がすことができて、駆動源が異常に発熱することを抑制できる。
【０１２８】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１２９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３０】
【図１】本発明を適用した一実施の形態の構成を示す遊技機の正面図である。
【図２】遊技機の裏面図である。
【図３】遊技盤の正面図である。
【図４】遊技機の制御系の一部を示すブロック図である。
【図５】排出装置の第２ケース側から見た斜視図である。
【図６】排出装置の第２ケース側から見た分解斜視図である。
【図７】第１ケース及び第２ケースの開口側から見た斜視図である。
【図８】可動部材の斜視図である。
【図９】可動部材が第１状態である状態を示す図であって、（ａ）排出装置の側面図、（ｂ）（ａ）に示すＡ−Ａ断面図、（ｃ）（ａ）に示すＢ−Ｂ断面図である。
【図１０】可動部材が第２状態である状態を示す図であって、（ａ）排出装置の側面図、（ｂ）（ａ）に示すＡ−Ａ断面図、（ｃ）（ａ）に示すＢ−Ｂ断面図である。
【符号の説明】
【０１３１】
７０      排出装置
７２      第１流路
７３      第２流路
７５      集合流路
１００    遊技機
１７０    可動部材
１７１    回動軸
１７２    第１球保持部（球保持部）
１７３    第２球保持部（球保持部）
１７５    規制部
１８０    駆動源
【図１】
2008245753.tif 000003
【図２】
2008245753.tif 000004
【図３】
2008245753.tif 000005
【図４】
2008245753.tif 000006
【図５】
2008245753.tif 000007
【図６】
2008245753.tif 000008
【図７】
2008245753.tif 000009
【図８】
2008245753.tif 000010
【図９】
2008245753.tif 000011
【図１０】
2008245753.tif 000012